(57)【要約】【課題】ケース１０の後方と両側方の３方向のいずれにもＧＰＳ用とＥＴＣ用のケーブル１６、１８を引き出せるようにしたアンテナのケーブル引き出し構造を提供する。【解決手段】横に並べて配設したＧＰＳアンテナ１２とＥＴＣアンテナ１４の下側に配設したベース部材２０の下面に、アンテナ１２、１４に一端が接続されたケーブル１６、１８を挿入し得るガイド溝２０ａ、２０ｂを設ける。しかもこれらガイド溝２０ａ、２０ｂを、１本のケーブルに対して、アンテナに一端が接続される側を挿入する一端側の部分を１本の溝で形成し、その途中で３つに分岐させて３つの溝として後方と両側方の３方向に曲げて設ける。ケーブル１６、１８の引き出し側の部分を、３つに分岐させた溝のいずれか１つに挿入することで、ケース１０に対して３方向のいずれにもケーブル１６、１８を引き出すことができる。【選択図】  図５
2008271271.tif 000002
【特許請求の範囲】
【請求項１】
アンテナの下側に配設されるベース部材の下面に、前記アンテナに一端が接続されたケーブルを挿入し得るガイド溝を設け、しかもこのガイド溝を、１本のケーブルに対して、前記ケーブルの前記アンテナに接続した側を挿入する部分が１本の溝でその途中で複数の溝に分岐させて異なる方向に曲げて設け、前記ケーブルの引き出し側の部分を前記複数に分岐させた溝のいずれか１つに挿入することで、前記ベース部材に対して前記下面と平行な面内で異なる方向のいずれにも前記ケーブルを引き出せるように構成したことを特徴とするアンテナのケーブル引き出し構造。
【請求項２】
複数のアンテナの下側に配設される１つのベース部材の下面に、それぞれに前記アンテナに一端が接続された複数のケーブルをそれぞれに挿入し得る複数のガイド溝を設け、しかもこれらのガイド溝を、１本のケーブルに対して、前記ケーブルの前記アンテナに接続した側を挿入する部分が１本の溝でその途中で複数の溝に分岐させて異なる方向に曲げて設け、前記ケーブルの引き出し側の部分を前記複数に分岐させた溝のいずれか１つに挿入することで、前記ベース部材に対して前記下面と平行な面内で異なる方向のいずれにも複数の前記ケーブルを引き出せるように構成したことを特徴とするアンテナのケーブル引き出し構造。
【請求項３】
請求項２記載のアンテナのケーブル引き出し構造において、複数の前記ケーブルをそれぞれに挿入する複数の前記ガイド溝を、並行に配設して構成したことを特徴とするアンテナのケーブル引き出し構造。
【請求項４】
請求項１ないし３記載のいずれかのアンテナのケーブル引き出し構造において、前記ガイド溝の一部に、前記ガイド溝の開口側を狭くするように形成した抜け止め部を設けて構成したことを特徴とするアンテナのケーブル引き出し構造。
【請求項５】
請求項１ないし３記載のいずれかのアンテナのケーブル引き出し構造において、前記ガイド溝の一部に前記ガイド溝の幅を狭くするように形成した狭持部を設けて構成したことを特徴とするアンテナのケーブル引き出し構造。
【請求項６】
請求項４記載のアンテナのケーブル引き出し構造において、前記抜け止め部を、前記ケーブルの前記アンテナに接続した側を挿入する１本の溝の部分に設けて構成したことを特徴とするアンテナのケーブル引き出し構造。
【請求項７】
請求項５記載のアンテナのケーブル引き出し構造において、前記狭持部を、前記ガイド溝に間隔を開けて複数箇所設けて構成したことを特徴とするアンテナのケーブル引き出し構造。
【請求項８】
請求項１ないし３記載のいずれかのアンテナのケーブル引き出し構造において、１本のケーブルに対して、前記ガイド溝を途中で３つの溝に分岐させて異なる３方向に曲げて設け、前記ケーブルの引き出し側の部分を前記３つに分岐させた溝のいずれか１つに挿入することで、前記ベース部材に対して３方向のいずれにも前記ケーブルを引き出せるように構成したことを特徴とするアンテナのケーブル引き出し構造。
【請求項９】
請求項１または２記載のアンテナのケーブル引き出し構造において、前記ガイド溝に前記ケーブルを挿入した状態で、前記ベース部材の下面に鋼板からなるブラケットを配設して、前記ケーブルが前記ガイド溝から抜け出るのを規制するように構成したことを特徴とするアンテナのケーブル引き出し構造。
【請求項１０】
樹脂材からなりレドームとして作用するケースに、下側からアンテナを配設し、前記アンテナの下側にベース部材を配設し、このベース部材の下面に前記アンテナに一端が接続されたケーブルを挿入し得るガイド溝を設け、しかもこのガイド溝を、１本のケーブルに対して、前記ケーブルの前記アンテナに接続した側を挿入する部分が１本の溝でその途中で複数の溝に分岐させて異なる方向に曲げて設け、前記ケーブルの引き出し側の部分を前記複数に分岐させた溝のいずれか１つに挿入することで、前記ベース部材に対して前記下面と平行な面内で異なる方向のいずれにも前記ケーブルを引き出せるようにし、前記ケースには複数に分岐された溝に対応して前記ケーブルを挿通させ得るケーブル挿通孔を設け、前記ガイド溝に前記ケーブルを挿入した状態で、前記ベース部材の下面に鋼板からなるブラケットを配設して構成したことを特徴とするアンテナのケーブル引き出し構造。
【発明の詳細な説明】
【技術分野】
【０００１】
本発明は、アンテナ装置に対して、その下面とほぼ平行な面内で異なる方向のいずれにもケーブルを引き出せるようにしたアンテナのケーブル引き出し構造に関するものである。
【背景技術】
【０００２】
特開２００１−６８９１２号公報には、ＧＰＳアンテナの下面とほぼ平行な水平方向と下面に対してほぼ垂直な下方とのいずれにもケーブルを引き出すことのできる技術が示されている。これは、ＧＰＳアンテナを自動車のルーフパネルの中央部等に取付る場合にはケーブルを水平方向に引き出し、ＧＰＳアンテナを自動車のルーフパネルの縁で窓に近い部分等に取付る場合にはケーブルを垂直下方に引き出すことで、引き出されて配設されたケーブルの見栄が向上するようにしたものである。
【特許文献１】特開２００１−６８９１２号公報
【０００３】
近年、ＧＰＳアンテナとしての平面アンテナと、ＥＴＣアンテナとしての平面アンテナとを、１つの筐体内に収容した複合アンテナ装置が普及している。ＧＰＳアンテナにあっては、最大利得となる指向方向が天頂方向となるように配設されるが、ＥＴＣアンテナにあっては最大利得となる指向方向が天頂方向から前方に傾いた状態となるように配設される。そこで、かかる複合アンテナ装置は、その設置する方向が規制されてしまう。例えば、自動車のフロントダッシュの上に設置されるとすると、ＥＴＣアンテナの最大利得方向が自動車の前方に向けて斜め上方となるように配設されなければならない。ここで、複合アンテナ装置から引き出されるケーブルの引き出し方向は、設置される自動車によってそれぞれに異なる方向が要求される場合がある。
【発明の開示】
【発明が解決しようとする課題】
【０００４】
かかるケーブルの異なる引き出し方向の自動車メーカーの要求に対して、ケーブルの引き出し方向が異なるアンテナ装置をそれぞれに準備することは経済的でない。しかも、引き出されたケーブルをアンテナ装置の外側で要求された方向に折り曲げるのでは見栄えが良くない。そこで、異なる引き出し方向の要求に応じて、異なる方向のいずれにもケーブルを引き出せることが望ましい。
【０００５】
本発明は、上述したごとき従来技術の事情に鑑みてなされたもので、アンテナの下側に配設されるベース部材の下面に設けたガイド溝を案内として、下面と平行な面内で異なる方向のいずれにもケーブルを引き出せるようにしたアンテナのケーブル引き出し構造を提供することを目的とする。
【課題を解決するための手段】
【０００６】
かかる目的を達成するために、本発明のアンテナのケーブル引き出し構造は、アンテナの下側に配設されるベース部材の下面に、前記アンテナに一端が接続されたケーブルを挿入し得るガイド溝を設け、しかもこのガイド溝を、１本のケーブルに対して、前記ケーブルの前記アンテナに接続した側を挿入する部分が１本の溝でその途中で複数の溝に分岐させて異なる方向に曲げて設け、前記ケーブルの引き出し側の部分を前記複数に分岐させた溝のいずれか１つに挿入することで、前記ベース部材に対して前記下面と平行な面内で異なる方向のいずれにも前記ケーブルを引き出せるように構成されている。
【０００７】
また、複数のアンテナの下側に配設される１つのベース部材の下面に、それぞれに前記アンテナに一端が接続された複数のケーブルをそれぞれに挿入し得る複数のガイド溝を設け、しかもこれらのガイド溝を、１本のケーブルに対して、前記ケーブルの前記アンテナに接続した側を挿入する部分が１本の溝でその途中で複数の溝に分岐させて異なる方向に曲げて設け、前記ケーブルの引き出し側の部分を前記複数に分岐させた溝のいずれか１つに挿入することで、前記ベース部材に対して前記下面と平行な面内で異なる方向のいずれにも複数の前記ケーブルを引き出せるように構成しても良い。
【０００８】
さらに、複数の前記ケーブルをそれぞれに挿入する複数の前記ガイド溝を、並行に配設して構成しても良い。
【０００９】
そして、前記ガイド溝の一部に、前記ガイド溝の開口側を狭くするように形成した抜け止め部を設けて構成することも可能である。
【００１０】
そしてまた、前記ガイド溝の一部に前記ガイド溝の幅を狭くするように形成した狭持部を設けて構成することも可能である。
【００１１】
そしてさらに、前記抜け止め部を、前記ケーブルの前記アンテナに接続した側を挿入する１本の溝の部分に設けて構成することもできる。
【００１２】
そしてまた、前記狭持部を、前記ガイド溝に間隔を開けて複数箇所設けて構成することもできる。
【００１３】
さらにまた、１本のケーブルに対して、前記ガイド溝を途中で３つに分岐させて異なる３方向に曲げて設け、前記ケーブルの引き出し側の部分を前記３つに分岐させた溝のいずれか１つに挿入することで、前記ベース部材に対して３方向のいずれにも前記ケーブルを引き出せるように構成しても良い。
【００１４】
また、前記ガイド溝に前記ケーブルを挿入した状態で、前記ベース部材の下面に鋼板からなるブラケットを配設して、前記ケーブルが前記ガイド溝から抜け出るのを規制するように構成することも可能である。
【００１５】
そして、樹脂材からなりレドームとして作用するケースに、下側からアンテナを配設し、前記アンテナの下側にベース部材を配設し、このベース部材の下面に前記アンテナに一端が接続されたケーブルを挿入し得るガイド溝を設け、しかもこのガイド溝を、１本のケーブルに対して、前記ケーブルの前記アンテナに接続した側を挿入する部分が１本の溝でその途中で複数の溝に分岐させて異なる方向に曲げて設け、前記ケーブルの引き出し側の部分を前記複数に分岐させた溝のいずれか１つに挿入することで、前記ベース部材に対して前記下面と平行な面内で異なる方向のいずれにも前記ケーブルを引き出せるようにし、前記ケースには複数に分岐された溝に対応して前記ケーブルを挿通させ得るケーブル挿通孔を設け、前記ガイド溝に前記ケーブルを挿入した状態で、前記ベース部材の下面に鋼板からなるブラケットを配設して構成することもできる。
【発明の効果】
【００１６】
請求項１記載のアンテナのケーブル引き出し構造にあっては、ベース部材の下面に設けられた一端側が１本の溝で途中で複数の溝に分岐されたガイド溝で、複数に分岐された溝のいずれにケーブルを挿入するかで、ケーブルの引き出し方向を選択することができる。そこで、異なる引き出し方向の要求に、簡単に対応することができる。
【００１７】
また、請求項２記載のアンテナのケーブル引き出し構造にあっては、複数のアンテナのそれぞれのケーブルが挿入されるガイド溝が、ベース部材の下面に設けられており、これらのガイド溝は一端側が１本の溝で途中で複数の溝に分岐されており、複数に分岐された溝のいずれにそれぞれのケーブルを挿入するかで、複数のケーブルの引き出し方向を選択することができる。複数のアンテナが設けられた複合アンテナ装置等のケーブル引き出し構造に好適である。
【００１８】
さらに、請求項３記載のアンテナのケーブル引き出し構造にあっては、複数のケーブルをそれぞれに挿入する複数のガイド溝を、並行に配設しているので、ガイド溝に挿入されて配線された複数のケーブルが整然とする。
【００１９】
そして、請求項４記載のアンテナのケーブル引き出し構造にあっては、ガイド溝の一部に、ガイド溝の開口側を狭くするように形成した抜け止め部を設けているので、ガイド溝の挿入されたケーブルに対してベース部材の下方に引っ張る力が作用しても、ケーブルが開口側の狭い部分で係止されるために、ケーブルがガイド溝から抜け出るようなことがない。
【００２０】
そしてまた、請求項５記載のアンテナのケーブル引き出し構造にあっては、ガイド溝の一部にガイド溝の幅を狭くするように形成した狭持部を設けているので、ガイド溝に挿入されたケーブルに対して、幅の狭い部分でケーブルが狭持されていて、ケーブルを長さ方向に引っ張る力が作用しても、大きな摩擦抵抗力が生じてケーブルが長さ方向に引き出されることがない。
【００２１】
そしてさらに、請求項６記載のアンテナのケーブル引き出し構造にあっては、抜け止め部を、ガイド溝のケーブルのアンテナに接続した側を挿入する１本の溝の部分に設けているので、ケーブルを予めこの１本の溝の部分のガイド溝にのみ挿入した状態とし、異なる引き出し方向の要求に応じて分岐された部分の溝にケーブルを挿入することで、要求に簡単に対応することができる。
【００２２】
そしてまた、請求項７記載のアンテナのケーブル引き出し構造にあっては、狭持部を、ガイド溝に間隔を開けて複数箇所設けているので、ケーブルを長さ方向に引っ張る力が作用しても、狭持部毎に引っ張る力がそれぞれに減衰され、全体として大きな摩擦抵抗力が生じる。その結果、ケーブルが長さ方向に引き出されることがなく、ケーブルの一端がアンテナに接続された接続部に、ケーブルを引っ張る力が作用することがない。
【００２３】
さらにまた、請求項８記載のアンテナのケーブル引き出し構造にあっては、１本のケーブルに対して、溝を途中で３つに分岐させて異なる３方向に曲げて設け、ベース部材に対して３方向のいずれにもケーブルを引き出せるようにしたので、アンテナに対して平面図で、例えば後方および両側方のいずれにもケーブルを引き出すことができる。
【００２４】
また、請求項９記載のアンテナのケーブル引き出し構造にあっては、前記ガイド溝に前記ケーブルを挿入した状態で、前記ベース部材の下面に鋼板からなるブラケットを配設されるので、前記ケーブルが前記ガイド溝から抜け出るのを確実に規制することができる。しかも、このブラケットがアンテナに対してグランド電極としても作用し得る。
【００２５】
そして、請求項１０記載のアンテナのケーブル引き出し構造にあっては、ケースとブラケットからなる筐体内にアンテナが収納され、そのケースからブラケットの下面とほぼ平行な面内で、異なる複数の方向のいずれにもケーブルを引き出すことができる。
【発明を実施するための最良の形態】
【００２６】
以下、本発明の一実施例を図１ないし図９を参照して説明する。図１は、本発明のアンテナのケーブル引き出し構造の一実施例が適用されたアンテナ装置を示し、（ａ）は平面図であり、（ｂ）は（ａ）のＡ−Ａ断面矢視図である。図２は、図１に示すアンテナ装置の外観斜視図である。図３は、図１に示すアンテナ装置を下側斜めから見た分解斜視図である。図４は、図１のアンテナ装置を構成するベース部材の外観斜視図であり、（ａ）は下面の斜視図であり、（ｂ）は上面の斜視図である。図５は、ケーブルをアンテナ装置の後方に引き出して配線した状態のベース部材の下面を示す図である。図６は、ケーブルをアンテナ装置の一方の側方に引き出して配線した状態のベース部材の下面を示す図である。図７は、ケーブルをアンテナ装置の他方の側方に引き出して配線した状態のベース部材の下面を示す図である。図８は、ベース部材のガイド溝に設けれた抜け止め部の断面拡大図である。図９は、ベース部材のガイド溝に設けられた狭持部を示し、（ａ）は図４（ａ）のＢ矢印方向に見た拡大図であり、（ｂ）は図４（ａ）のＣ矢印方向に見た拡大図である。
【００２７】
アンテナ装置は、樹脂材からなりレドームとしても作用するケース１０内に、下側からＧＰＳアンテナ１２とＥＴＣアンテナ１４が横に並べた状態でそれぞれ収納配設される。ＧＰＳアンテナ１２は、ＧＰＳ基板１２ａの上面にパッチアンテナ１２ｂが搭載され、ＧＰＳ基板１２ａの下面に図示していない低雑音増幅回路が設けられ、この回路を覆うようにシールドカバー１２ｃが配設されて構成されている。ＧＰＳ基板１２ａに、ＧＰＳ用ケーブル１６の一端が半田付け等により適宜に電気的接続されるとともに固定されている。また、ＥＴＣアンテナ１４は、ＥＴＣ基板１４ａの上側に間隔を開けて並行に平面アンテナエレメント１４ｂが配設されて構成されている。ＥＴＣ基板１４ａに、ＥＴＣ用ケーブル１８の一端が半田付け等により適宜に電気的接続されるとともに固定されている。そして、ＧＰＳアンテナ１２とＥＴＣアンテナ１４の下側に、樹脂材からなるベース部材２０が配設され、このベース部材２０の下面に設けたガイド溝２０ａ、２０ｂにより、ＧＰＳ用ケーブル１６とＥＴＣ用ケーブル１８が案内されて適宜に配線される。さらに、ベース部材２０の下面に接して鋼板からなるブラケット２２が配設され、ガイド溝２０ａ、２０ｂに挿入されたＧＰＳ用ケーブル１６とＥＴＣ用ケーブル１８の抜けが規制されている。
【００２８】
ここで、アンテナ装置に対して、ＧＰＳアンテナ１２は、垂直上方を指向方向とするように配設され、ＥＴＣアンテナ１４は、前方斜め上方を指向方向とするように配設されることは、従来技術と同様である。そこで、かかる複数のアンテナが配設されたアンテナ装置にあっては、前述したように、自動車のダッシュボード上に配設するならば、ＥＴＣアンテナ１４が自動車の前方となるように配置しなければならず、アンテナ装置を配設する姿勢が規制される。そして、自動車メーカーの要望により、ＧＰＳ用ケーブル１６とＥＴＣ用ケーブル１８を引き出す方向は、必ずしもケース１０の後方とは限られていない。そこで、本発明にあっては、後述のごとくして、ベース部材２０の下面に設けたガイド溝２０ａ、２０ｂにより、自動車メーカーの要望に応じて、ＧＰＳ用ケーブル１６とＥＴＣ用ケーブル１８の引き出し方向を後方と両側方のいずれか１つに任意に選択できるようにしている。
【００２９】
ベース部材２０の下面に設けられた一方のガイド溝２０ａは、ＧＰＳ用ケーブル１６を挿入して配線を案内するものであり、ＧＰＳアンテナ１２に一端が接続された側が挿入される一端側の部分が１本の溝で形成され、それが途中から３本の溝に分岐されてそれぞれケース１０の後方と両側方に到るように形成されている。また、他方のガイド溝２０ｂは、ＥＴＣ用ケーブル１８を挿入して配線を案内するものであり、ＥＴＣアンテナ１４に一端が接続された側が挿入される一端側の部分が１本の溝で形成され、それが途中から３本の溝に分岐されてそれぞれケース１０の後方と両側方に到るように形成されている。そして、２本のガイド溝２０ａ、２０ｂは、１本で形成された部分および３本に分岐された部分のいずれの箇所でもほぼ並行に形成されている。
【００３０】
さらに、ガイド溝２０ａ、２０ｂの１本の溝で形成された部分には、抜け止め部２０ｃ、２０ｃがそれぞれに設けられている。この抜け止め部２０ｃ、２０ｃは、図８に示すごとく、ガイド溝２０ａ、２０ｂの開口側が狭くなるように溝の縁部の両側から対向して設けた係止突部で形成されている。この係止突部は、ＧＰＳ用ケーブル１６とＥＴＣ用ケーブル１８をガイド溝２０ａ、２０ｂに挿入し易いように上面側にはテーパー面等が設けられ、内側にはＧＰＳ用ケーブル１６とＥＴＣ用ケーブル１８が抜け出さないように溝の深さ方向と略直交する面が設けられている。また、２本のガイド溝２０ａ、２０ｂには、間隔を開けて狭持部２０ｄ、２０ｄ…がそれぞれに複数箇所設けられている。この狭持部２０ｄ、２０ｄは、図９に示すごとく、ガイド溝２０ａ、２０ｂの溝の幅が狭くなるように溝の両側に対向して溝の深さ方向に設けられたリブ状突部で形成されている。このリブ状突部は、ケーブル被覆を適宜に弾性変形させてＧＰＳ用ケーブル１６とＥＴＣ用ケーブル１８がガイド溝２０ａ、２０ｂに挿入されるように設定されている。
【００３１】
なお、ベース部材２０は、樹脂成型により量産されるが、樹脂のひけ等による成型不良を無くすために、図４（ｂ）に示すごとく、いずれの箇所でも一様な厚さとなるようになされるとともに、補強リブ等により所望の機械的強度が確保されている。さらに、抜け止め部２０ｃ、２０ｃが形成される箇所では、ガイド溝２０ａ、２０ｂの底部に孔２０ｅ、２０ｅが設けられていて、成型金型の抜き等にも充分に配慮された形状とされている。
【００３２】
そして、図５に示すごとく、ＧＰＳ用ケーブル１６とＥＴＣ用ケーブル１８を、ベース部材２０のガイド溝２０ａ、２０ｂに挿入し、分岐されて後方に到る溝に挿入することで、ケース１０の後方に引き出される。また、図６に示すごとく、ＧＰＳ用ケーブル１６とＥＴＣ用ケーブル１８を、ベース部材２０のガイド溝２０ａ、２０ｂに挿入し、分岐された一方の側方に到る溝に挿入することで、ケース１０の一方の側方に引き出される。そして、図７に示すごとく、ＧＰＳ用ケーブル１６とＥＴＣ用ケーブル１８を、ベース部材２０のガイド溝２０ａ、２０ｂに挿入し、分岐された他方の側方に到る溝に挿入することで、ケース１０の他方の側方に引き出される。ケース１０には、ベース部材２０のガイド溝２０ａ、２０ｂの分岐されて後方と両側方に到る溝に対応して、ケーブル挿通孔１０ａ、１０ａ…が設けられていることは勿論である。なお、図５ないし図７は、いずれもブラケット２２を取り外して下側から見た図である。
【００３３】
かかる構成において、本発明のアンテナのケーブル引き出し構造にあっては、ガイド溝２０ａ、２０ｂの分岐されたいずれの方向に到る溝にＧＰＳ用ケーブル１６とＥＴＣ用ケーブル１８を挿入するかで、その引き出し方向を適宜に選択して設定することができる。そして、ガイド溝２０ａ、２０ｂに設けた狭持部２０ｄ、２０ｄ…により、ＧＰＳ用ケーブル１６とＥＴＣ用ケーブル１８のケーブル被覆が弾性変形されてガイド溝２０ａ、２０ｂに挿入されるために、ＧＰＳ用ケーブル１６とＥＴＣ用ケーブル１８をその長さ方向に引っ張る力に対して大きな摩擦抵抗力を生ずる。しかも、狭持部２０ｄ、２０ｄ…が間隔を開けて複数設けられているので、それぞれの狭持部２０ｄ、２０ｄ…における摩擦抵抗力でその長さ方向に引っ張る力が相殺されて減衰し、長さ方向に引っ張る力がＧＰＳ用ケーブル１６とＥＴＣ用ケーブル１８の一端がＧＰＳ基板１２ａとＥＴＣ基板１４ａにそれぞれ接続された部分に作用することがない。一例として、外径寸法が３．０ｍｍのケーブルに対して、ガイド溝２０ａ、２０ｂの溝幅は３．１ｍｍであり、狭持部２０ｄ、２０ｄ…の対向する間の幅が２．６ｍｍに設定されている。また、ガイド溝２０ａ、２０ｂに設けた抜け止め部２０ｃ、２０ｃにより、ＧＰＳ用ケーブル１６とＥＴＣ用ケーブル１８をベース部材２０の下面と直交する下側に引っ張る力に対して、溝の開口側に係止突部により抜けが阻止される。一例として、係止突部の対向する幅は、２．４ｍｍに設定されている。
【００３４】
さらに、ＧＰＳ用ケーブル１６とＥＴＣ用ケーブル１８を、ガイド溝２０ａ、２０ｂに設けた抜け止め部２０ｃ、２０ｃに挿入した状態では、ベース部材２０の下方に引っ張る多少の力が作用してもＧＰＳ用ケーブル１６とＥＴＣ用ケーブル１８はガイド溝２０ａ、２０ｂから抜け出ることがない。そこで、予め、ＧＰＳ用ケーブル１６とＥＴＣ用ケーブル１８をガイド溝２０ａ、２０ｂに設けた抜け止め部２０ｃ、２０ｃに挿入した状態まで組み付け、自動車メーカーの要望によりＧＰＳ用ケーブル１６とＥＴＣ用ケーブル１８の引き出し方向が決定した時点で、分岐された溝のいずれかに挿入して組み付けるようにしても良い。自動車メーカーの要望に対応した製品を迅速に製造することができる。そして、ベース部材２０の下面にブラケット２２を配設して、ＧＰＳ用ケーブル１６とＥＴＣ用ケーブル１８がガイド溝２０ａ、２０ｂから抜け出ないようにしている。
【００３５】
なお、上述のアンテナ装置は、ＧＰＳアンテナ１２とＥＴＣアンテナ１４が１つのケース１０内に収容された複合アンテナ装置であるが、ＧＰＳアンテナ１２またはＥＴＣアンテナ１４が単独でケース１０内に収容されたアンテナ装置にあっても、本発明のアンテナのケーブル引き出し構造を適用できることは容易に理解されるであろう。この場合には、引き出されるケーブルは当然に１本である。また、アンテナは、ＧＰＳアンテナ１２またはＥＴＣアンテナ１４に限られたものでなく、他の用途のアンテナであっても良い。そして、ケーブルの引き出し方向は、ケース１０の後方と両側方の３方向に限られず、ベース部材２０の下面と平行な面内で適宜に２方向以上に形成されれば良い。そしてまた、ガイド溝２０ａ、２０ｂの経路についても使用するアンテナと必要とされるケーブル引き出し位置との関係から適宜に設定されれば良い。さらに、ケース１０に設けられるケーブル挿通孔１０ａ、１０ａ…は、予めケーブル１６、１８が挿通できるように開口されていても良いが、当初は肉薄部材等で閉塞されていて、ケーブル１６、１８の引き出し方向に応じて肉薄部材等を切り欠いてケーブル１６、１８が挿通できるようにしても良い。
【図面の簡単な説明】
【００３６】
【図１】本発明のアンテナのケーブル引き出し構造の一実施例が適用されたアンテナ装置を示し、（ａ）は平面図であり、（ｂ）は（ａ）のＡ−Ａ断面矢視図である。
【図２】図１に示すアンテナ装置の外観斜視図である。
【図３】図１に示すアンテナ装置を下側斜めから見た分解斜視図である。
【図４】図１のアンテナ装置を構成するベース部材の外観斜視図であり、（ａ）は下面の斜視図であり、（ｂ）は上面の斜視図である。
【図５】ケーブルをアンテナ装置の後方に引き出して配線した状態のベース部材の下面を示す図である。
【図６】ケーブルをアンテナ装置の一方の側方に引き出して配線した状態のベース部材の下面を示す図である。
【図７】ケーブルをアンテナ装置の他方の側方に引き出して配線した状態のベース部材の下面を示す図である。
【図８】ベース部材のガイド溝に設けれた抜け止め部の断面拡大図である。
【図９】ベース部材のガイド溝に設けられた狭持部を示し、（ａ）は図４（ａ）のＢ矢印方向に見た拡大図であり、（ｂ）は図４（ａ）のＣ矢印方向に見た拡大図である。
【符号の説明】
【００３７】
１０  ケース
１０ａ  ケーブル挿通孔
１２  ＧＰＳアンテナ
１２ａ  ＧＰＳ基板
１２ｂ  パッチアンテナ
１２ｃ  シールドカバー
１４  ＥＴＣアンテナ
１４ａ  ＥＴＣ基板
１４ｂ  平面アンテナエレメント
１６  ＧＰＳ用ケーブル
１８  ＥＴＣ用ケーブル
２０  ベース部材
２０ａ、２０ｂ  ガイド溝
２０ｃ  抜け止め部
２０ｄ  狭持部
２０ｅ  孔
２２  ブラケット
【図１】
2008271271.tif 000003
【図２】
2008271271.tif 000004
【図３】
2008271271.tif 000005
【図４】
2008271271.tif 000006
【図５】
2008271271.tif 000007
【図６】
2008271271.tif 000008
【図７】
2008271271.tif 000009
【図８】
2008271271.tif 000010
【図９】
2008271271.tif 000011